(57)【特許請求の範囲】
【請求項１】
本体部とクランプ部とからなる切削工具に用いるための植刃クランプ機構であって、
ベース・ジョーと、
上側と下側とを持つクランプ・ジョーと、なお、前記下側は、前側第一クランプ面と、この第一クランプ面から凹部によって分離された後側第二クランプ面とを含み、前記ベース・ジョー及び前記クランプ・ジョーは、それらの間に存在する間隙によって植刃受容ポケットを形成する、
この植刃受容ポケットの後部から概して上側前方へ延びる孔と、
前記切削工具の前記本体部に前記クランプ・ジョーを連結する第一の狭いブリッジ部分と、
概して前記第二クランプ面に向かって延びる第二の狭いブリッジ部分とからなり、
前記第一の狭いブリッジ部分が、概して前記孔と前記クランプ・ジョーの前記上側との間に位置し、
前記第二の狭いブリッジ部分が、概して前記凹部と前記孔との間に位置する植刃クランプ機構。
【請求項２】
前記孔の前部が前記第二クランプ面よりも前方に位置する請求項１に記載の植刃クランプ機構。
【請求項３】
前記第一の狭いブリッジ部分に第一の弾力性回転軸が存在し、前記第二の狭いブリッジ部分に第二の弾力性回転軸が存在する請求項１に記載の植刃クランプ機構。
【請求項４】
前記第一クランプ面に第一の締付力が作用し、前記第二クランプ面に第二の締付力が作用する請求項１に記載の植刃クランプ機構。
【請求項５】
前記第一の締付力が前記第二の締付力から独立している請求項４に記載の植刃クランプ機構。
【請求項６】
前記孔の後部から概して後方へ接続ブロック内を細長いスロットが延び、この細長いスロットを横切って前記接続ブロック内を下方へ締付けネジが延びる請求項１に記載の植刃クランプ機構。
【請求項７】
前記植刃受容ポケットには、前記植刃受容ポケットの後部から概して後方へ延びる、植刃除去装置を受けるための孔が設けられている請求項１に記載の植刃クランプ機構。
【請求項８】
前記植刃受容ポケットの後部に、前記切削工具の前記本体部から延びる突出部が設けられており、この突出部の前面が植刃位置決め面を形成する請求項１に記載の植刃クランプ機構。
【請求項９】
前記クランプ・ジョーには、さらに、前記上側及び下側の中間に前面があり、この前面が植刃位置決め面を形成する請求項１に記載の植刃クランプ機構。
【請求項１０】
前記切削工具が回転式立削り工具である請求項１に記載の植刃クランプ機構。
【請求項１１】
前記切削工具が、本体部にホルダ・ブレード持つ旋盤工具である請求項１に記載の植刃クランプ機構。
【請求項１２】
前記植刃受容ポケット内に保持される植刃には、上側当接面及び下側当接面があり、この上側当接面が、上面凹部によって分離して前側第一当接面と後側第二当接面とからなる請求項１に記載の植刃クランプ機構。
【請求項１３】
前記植刃受容ポケット内に保持される植刃には、上側当接面及び下側当接面があり、この上側当接面が、上面凹部によって分離した前側第一当接面と後側第二当接面とからなる請求項１に記載の植刃クランプ機構。
【請求項１４】
前記クランプ・ジョーの前記下側が、前記前側第一クランプ領域及び前記後側第二クランプ領域において、各々前記前側第一当接面及び前記後側第二当接面に当接する請求項１３に記載の植刃クランプ機構。
【請求項１５】
前記前側第一クランプ領域に第一の締付力が作用し、前記後側第二クランプ領域に第二の締付力が作用する請求項１４に記載の植刃クランプ機構。
【請求項１６】
前記第一の締付力が前記第二の締付力から独立している請求項１５に記載の植刃クランプ機構。
【請求項１７】
前記クランプ・ジョーの前記下側の前記後側第二クランプ面が、前記植刃受容ポケット内に保持された前記植刃の前記上面凹部の後部領域に当接する請求項１３に記載の植刃クランプ機構。
【発明の詳細な説明】
【０００１】
【発明の属する技術分野】
本発明は、切削工具の植刃受容ポケットの弾性クランプ機構に関する。
【０００２】
【従来の技術】
植刃を締めるための弾性クランプ機構を用いる切削工具は、概して、比較的に厚さが薄い。例えば、溝削り及び突切り等の切削作業は、比較的に薄いホルダ・ブレードの上側及び下側ジョー（jaw：顎のような機械要素）のクランプ面の間に位置する植刃ポケット内に保持した植刃によって行う。さらに、ホルダ・ブレードは、概して、ブレード保持ブロック内に固定されるが、ホルダ・ブレードには、通常、植刃ポケットの近傍に適当な開口が設けられ、これによって、ホルダ・ブレードのジョーの一方が、他方に対して限られた範囲で弾性変位が可能なような、比較的に狭いブリッジ部が形成されている。一般的に、下側ジョーは硬質で、上側ジョーは弾性変位が可能であり、開口は、孔、スロット、あるいは端部に孔があるスロットの形状である。このような切削工具の例が、米国特許第３,７８５,０２１号及び米国特許第４,５８０,９３０号に開示されている。また、弾性植刃クランプ機構を用いる回転式立削り工具が、米国特許第５,０５９,０６８号に開示されている。切削工具本体は円板形状で比較的に薄く、その外周に植刃ポケットがある。ホルダ・ブレードと同様、植刃ポケットには、二つのジョーがあり、それらの間に、植刃が、クランプ・ジョーの曲げから生じる弾性力によって締められる。
【０００３】
切削工具がホルダ・ブレードあるいは回転式立削り工具であるかどうかに拘わらず、ジョーのクランプ面間の距離が、植刃の、クランプ面間に位置する部分の高さよりも小さくなるように植刃ポケットを加工することによって、クランプ・ジョーの曲げを生じさせることができる。結果的に、植刃を植刃ポケットに配置すると、クランプ・ジョーは曲がった状態で保持され、弾性力を生じ、この弾性力によって植刃を所定の位置に固定する。
【０００４】
【発明が解決しようとする課題】
この形態のクランプ機構の欠点は、特定の切削工具、そして特定の切削条件下で、植刃の締め付けに不安定性があるということである。回転式立削り工具においては、工具がその回転軸の周りを回転するとき、各々、個々の植刃が工作物に断続的に接触する。その結果、植刃は、工作物にあたる度に強打をこうむり、締付力が減少して位置ずれを起こしてしまう可能性が大きい。いくつかの植刃が変位した場合、あるいは径方向に異なる距離で変位した場合、位置ずれのない植刃、あるいは変位の少ない植刃は、立削り作業に参加しないため、植刃に不均等な摩耗が生じる。植刃の不安定性は、例えば、溝削り作業での、ホルダ・ブレードに保持した植刃の使用においても生ずる。仕上がった溝からホルダ・ブレードを引き抜くときに、植刃がホルダ・ブレードから偶発的に抜けてしまう可能性がある。
【０００５】
この問題に対する解決方法が、特別なデザインの植刃と、それに対応するホルダ・ブレード内に設けられた特別なデザインの植刃ポケットとを開示する米国特許第５,７４３,６８０号に提案されている。同様に、回転式立削り工具における植刃の不安定性の問題に対する解決方法が、特別なデザインの植刃と、それに対応する切削工具本体内に設けられた特別なデザインの植刃ポケットとを開示する米国特許第５,０５９,０６８号に提案されている。
【０００６】
本発明の目的は、特に、確実な、そして新規な方法によって、上記の植刃の変位の問題を解決する、植刃のための弾性クランプ機構を提供することである。
【０００７】
【課題を解決するための手段】
本発明によれば、本体部とクランプ部とからなる切削工具に用いるための植刃クランプ機構が提供される。この植刃クランプ機構は、ベース・ジョーと、上側と下側とを持つクランプ・ジョー（ベース・ジョーとクランプ・ジョーとの間には間隙があり、その間隙によって植刃受容ポケットが形成される）、植刃受容ポケットの後上部から概して上側前方へ延びる孔と、クランプ・ジョーを切削工具の本体部に接続する第一の狭いブリッジ部分と、概して第二クランプ面に向かって延びる第二の狭いブリッジ部分とから構成される。
【０００８】
本発明の一つの実施例によれば、クランプ・ジョーの下側は、凹部によって分離された前側第一クランプ面と後側第二クランプ面とからなる。
【０００９】
通常、第一の狭いブリッジ部分は、概して孔とクランプ・ジョーの上側との間に位置する。
【００１０】
また、第二の狭いブリッジ部分は、概して凹部と孔との間に位置する。
【００１１】
孔の前部は第二クランプ面よりも前方に位置することが好ましい。
【００１２】
本発明によれば、第一の狭いブリッジ部分に第一の弾力性回転軸が存在し、第二の狭いブリッジ部分に第二の弾力性回転軸が存在する。
【００１３】
概して、第一の締付力が第一クランプ面に作用し、第二の締付力が第二クランプ面に作用する。
【００１４】
第一の締付力は第二の締付力から独立していることが好ましい。
【００１５】
本発明の一つの実施例によれば、孔の後部から接続ブロック内へ概して後方へ細長いスロットが延び、細長いスロットを横切って接続ブロック内を下方へ締付けネジが延びる。
【００１６】
必要に応じて、植刃受容ポケットには、植刃除去装置を受けるための孔が設けられる。この孔は、植刃受容ポケットの後部から概して後方へ延びる。
【００１７】
さらに、必要ならば、植刃受容ポケットの後部に、切削工具の本体部から延びる突出部を設け、この突出部の前面によって、植刃位置決め面を形成してもよい。
【００１８】
また、必要に応じて、植刃クランプ機構のクランプ・ジョーの上側と下側との中間に前面を設け、この前面によって、植刃位置決め面を形成してもよい。
【００１９】
一つの実施例においては、切削工具は回転式立削り工具である。
【００２０】
もう一つの実施例においては、切削工具は、本体部がホルダ・ブレードからなる旋盤工具である。
【００２１】
必要に応じて、植刃受容ポケット内に保持する植刃には、上側当接面と下側当接面とを設け、さらに、上側当接面を、上面凹部によって分離して前側第一当接面と後側第二当接面とを設けてもよい。
【００２２】
一つの実施例では、クランプ・ジョーの下側の後側第二クランプ面は、植刃受容ポケット内に保持した植刃の上面凹部の後部領域に当接する。
【００２３】
本発明のもう一つの実施例においては、クランプ・ジョーの下側には凹部を設けず、植刃の上側当接面内に上面凹部を設け、この植刃を切削工具に用いる。
【００２４】
この実施例によれば、クランプ・ジョーの下側は、前側第一クランプ領域及び後側第二クランプ領域において、各々前側第一当接面及び後側第二当接面に当接する。
【００２５】
概して、第一の締付力が前側第一クランプ領域に作用し、第二の締付力が後側第二クランプ領域に作用する。
【００２６】
必要に応じて、第一の締付力が第二の締付力から独立するように構成することが可能である。
【００２７】
【発明の実施の形態】
まず図１を参照する。切削工具１０はクランプ部１２と本体部１４とからなる。クランプ部１２には、植刃１８を受ける植刃受容ポケット１６が形成されている。植刃受容ポケット１６は、クランプ・ジョー２０とベース・ジョー２２との間に位置する。植刃受容ポケットの上側後部から概して上側前方へ延びるのが、前部２５を含む孔２４である。下記に詳細に述べるが、この孔２４が本発明の本質的な特徴である。
【００２８】
さらに、植刃受容ポケット１６の後部から概して後方へ孔２６が延びる。このもう一つの孔は、植刃除去装置を受けるためのものである。植刃除去装置は、例えば、植刃受容ポケットから植刃を強制的に排出させる抜取り工具であっても、または、植刃受容ポケットを開くキーであってもよい（例えば、米国特許第５,８０３,６７５を参照）。また、植刃受容ポケットを開くために他の構成（例えば、米国特許第５,６９７,２７１を参照）を用いてもよい。この場合、孔２６は、その周囲と、植刃受容ポケット内に保持した植刃との間に隙間を提供するに十分な最小サイズとする。孔２４及び２６は、植刃位置決め面を形成するところの前面３０を持つ突出部２８によって分離されている。
【００２９】
ベース・ジョー２２には植刃当接面３２があり、そしてクランプ・ジョー２０には上側３４及び下側３６がある。下側は、前側第一クランプ面３８と、凹部４０によって分離した後側第二クランプ面４２とからなる。図から明らかであるが、孔２４の前部２５は、第二クランプ面４２よりも前方に位置している。しかしながら、前部２５を第二クランプ面４２よりもどれだけ前方に位置させるかは、最適なデザインを得る上での課題である。前部２５は、第二クランプ面４２の後方へ配置すべきではないが、特殊なケースでは、同じ位置に配置させることは可能である。すなわち、この特殊なケースでは、前部２５は、図１に示す第二クランプ面４２の真上に位置することになる。
【００３０】
クランプ・ジョー２０は、切削工具１０の本体部１４にクランプ・ジョー２０をつなぐ第一の狭いブリッジ部分４４を含み、第一の狭いブリッジ部分４４は、概して、孔２４とクランプ・ジョー２０の上側３４との間に位置する。第二の狭いブリッジ部分４６は、概して、第二のクランプ面４２に向かって延び、凹部４０と孔２４との間に位置する。下記に詳細に述べるが、二つの狭いブリッジ部分４４及び４６は、本発明のクランプ機構にとって不可欠なもので、植刃１８が、植刃受容ポケット１６に挿入されたとき、前側第一クランプ面３８と後側第二クランプ面４２とによって、植刃を単に締めるというのではなく、安定するように締めることを保証するための手段を提供するものである。
【００３１】
さて、図１及び図２を参照しながら、クランプ・ジョー２０のクランプ作用を考察する。植刃１８が固定されることを保証するために、植刃が植刃受容ポケット１６内に挿入されていない状態における、第一クランプ面３８とベース・ジョーの植刃当接面３２との間の距離ｈ１は、植刃が植刃受容ポケットに挿入されたときに第一クランプ面３８が植刃に当接する個所の植刃の高さＨ１よりも短い。同様に、植刃が植刃受容ポケット１６内に挿入されていない状態における、第二クランプ面４２とベース・ジョーの植刃当接面３２との間の距離ｈ２は、植刃が植刃受容ポケットに挿入されたときに第二クランプ面４２が植刃に当接する個所の植刃の高さＨ２よりも短い。このような構成であるため、植刃が強制的に植刃受容ポケット１６に挿入されると、第一クランプ面３８及び第二クランプ面４２は植刃当接面３２から強制的に離され、植刃１８へのクランプ・ジョー２０による弾性締付力が二つの接触点、第一クランプ面３８及び第二クランプ面４２に生じる。本文における用語「点」は、数学的なセンスでの点ではなく、現実的な小領域を意味する。Ｈ２は、Ｈ１以下である。
【００３２】
二つの狭いブリッジ部分４４及び４６は、二つの離れた弾力性回転軸Ｐ及びＱを提供する。用語「狭い」は、その構造が弾性曲げを生じることを意味する。ブリッジ部分をどれだけ狭くすると、対応する弾性曲げがどの程度得られるかは、狭いブリッジ部分に必要な強度と必要な締付力とを考慮する上で、最適なデザインを得るための課題である。第一クランプ面３８は弾力性回転軸Ｐの周りに弾性変位し、第二クランプ面４２は独立して弾力性回転軸Ｑの周りに弾性変位することが可能である。結果的に、第一クランプ面３８は植刃１８の上面前部上に第一の力Ｆ１を及ぼし、第二クランプ面４２は植刃の上面後部上に第二の力Ｆ２を及ぼす。これは、従来の技術による弾性クランプ機構を持つ切削工具とは対照的である。従来の弾性クランプ機構は、真っ直ぐなクランプ面からなるクランプ・ジョーを持ち、当接面の全長に渡って締めが作用するようにデザインされているが、製造許容差があるため、多くの場合、実際には、締付力は概して植刃の前部に向かって単に一点で植刃上に作用する。
【００３３】
弾力性回転軸Ｐが第二の力Ｆ２の作用線上に位置するように第一の狭いブリッジ部分４４をデザインすることが好ましい。作用線を第二クランプ面４２への矢印によって表す。この構成において、第二クランプ面４２は、第一クランプ面３８が植刃当接面３２上に及ぼす力Ｆ１の大きさを変えることなく、弾力性回転軸Ｑの周りを自由に移動する。したがって、この構成における第一及び第二の力Ｆ１及びＦ２は、各々、独立している。弾力性回転軸Ｐが第二の力Ｆ２の作用線に近い位置にあるが作用線上に位置しない場合は、第一及び第二の力Ｆ１及びＦ２は、各々、互いから完全に独立した状態にはない。独立の程度は、弾力性回転軸Ｐが第二の力Ｆ２の作用線にどれだけ近いかに依存する。
【００３４】
上記の理由から、孔２４は、その存在及び形状が二つの狭いブリッジ部分４４及び４６の形成に不可欠な、本発明のクランプ機構における重要な機能を担う。これは、米国特許第５,７４３,６８０号に開示されたクランプ機構とは対照的である。特許‘６８０号に表されたクランプ・ジョーの後部にも（その図８中の符号１０８で示した）孔があるが、この孔は、円形であり、（‘６８０において符号１０５で示した）第二クランプ面よりも前方に位置する前部を持たないため、この孔によって、狭いブリッジ部分が形成されることはない。
【００３５】
本発明による二つの独立した、あるいはほぼ独立した締付力の配置によって、締め付けられた植刃の安定性が増す。例えば、回転式立削り工具では、振動があるために締付力が非常に小さくなることがある。締付力が植刃上の僅か一点に加えられる従来の技術による回転式立削り工具においては、このことは、遠心力の影響下にある植刃受容ポケットから植刃が滑り出る可能性があることを意味する。本発明によれば、第一クランプ面３８が植刃当接面３２上に及ぼす力Ｆ１が、振動のために非常に小さくなっても、植刃は、第二クランプ面４２が植刃当接面３２上に及ぼす力Ｆ２によって定位置に固定される。また、本発明のクランプ機構は、側力（すなわち図の平面にほぼ直角な力）の影響に対して植刃の安定性を向上させる。
【００３６】
さらに、米国特許第５,７４３,６８０号では、クランプ・アームには二つのクランプ接触面があるが、僅か一つの弾力性回転軸があるだけである。この弾力性回転軸は、植刃を受けるためのスロット状の凹部から延びる楕円状の凹部のすぐ後に続くスロットの延長にある。したがって、‘６８０号のメタル・リムービング工具の二つのクランプ接触面は、自由に独立して弾力的に曲がることはないため、植刃上に、各々独立して力を及ぼすことはない。さらに、‘６８０号のメタル・リムービング工具に用いることが意図された植刃は、上側が、所定範囲内における特定な角度で各々が他に傾斜した三つの面を持つという特別な構成になっている。
【００３７】
さて、切削工具１０に対する植刃１８の側方移動を防ぐための機構を示す図３Ａを参照する。本技術において既知であるが（例えば、米国特許第４,５８０,９３０号及び第４,８８７,９４５号を参照）、植刃の対応当接面に係合する横断形状を構成するように、クランプ・ジョー２０にクランプ面３８及び４２を、そしてベース・ジョー２２に当接面３２を形成することによって、植刃の側方安定性を向上させることができる。本発明の一つの実施例においては、クランプ・ジョー２０のクランプ面３８及び４２、そしてベース・ジョー２２の当接面３２が凸形のＶ字形状に配置され、これに合致するように、植刃１８の上面及び下面が凹形のＶ字形状に配置される。図３Ｂに、植刃１８の側方移動を防ぐための機構を持つ本発明のもう一つの実施例を示す。この場合は、クランプ・ジョー２０のクランプ面３８及び４２、そしてベース・ジョー２２の当接面３２が凹形のＶ字形状に配置され、これに合致するように、植刃１８の上面及び下面が凸形のＶ字形状に配置されている。
【００３８】
図１及び図２に示す実施例においては、植刃１８は、植刃の後端が突出部２８の植刃位置決め面３０に係合するまで、植刃受容ポケット１６内へ挿入される。しかしながら、図４に一例を示すが、植刃の上面から突き出す鼻のような部分５２を持つ植刃５０等のような植刃がある。この場合は、植刃受容ポケット内に植刃の位置決めをする代替的な構成を用いることが可能であり、クランプ・ジョー２０の前面５４が植刃位置決め面として役立つ。植刃は、鼻のような部分５２の後側５６がクランプ・ジョーの前面５４に係合するまで、植刃受容ポケット内へ挿入される。この代替的な構成では、鼻のような部分５２の後側５６とクランプ・ジョー２０の前面５４との当接を保証するために、図４に示す突出部２８が、図１及び２に示すものよりも短く、あるいは図４に示す植刃が、図１及び２に示す植刃よりも短く形成されている。しかしながら、先に説明したが、孔２６が可能な限り小さく形成された場合、この代替的な実施例では、突出部２８を完全に取り除いてしまうことも可能である。
【００３９】
本発明の植刃クランプ機構は、弾性曲げが可能な材料から本体部が比較的に薄く形成された切削工具に用いることができる。図５に、工具の外周に複数の植刃受容ポケット１６を持つ回転式立削り工具６０を示す。各植刃受容ポケットには本発明の植刃クランプ機構が用いられている。また、図６に、溝削り及び突切り等の切削作業のためのホルダ・ブレード６２を示す。この植刃受容ポケット１６にも本発明の植刃クランプ機構が用いられている。
【００４０】
本発明の第一実施例においては、切削工具１０のクランプ部１２のクランプ・ジョー２０の下側３６には凹部４０がある（例えば、図１を参照）。この凹部４０は、第一及び第二のクランプ面３８及び４２を各々定義するために不可欠なものである。図７及び８に示す本発明の第二実施例においては、切削工具１０のクランプ部１２のクランプ・ジョー２０の下側３６には凹部が全くない代わりに、植刃７０の上側当接面７４に上面凹部７２が設けられている。この上面凹部は、上側当接面７４を前側第一当接面７６と後側第二当接面７８とに分ける。植刃７０の上側当接面７４上の前側第一当接面７６と後側第二当接面７８とに対応するのが、クランプ・ジョー２０の下側３６にある前側第一クランプ領域８０と後側第二クランプ領域８２である。したがって、図８に示すように、植刃７０が完全に植刃受容ポケット１６内に挿入されたとき、前側第一クランプ領域８０は第一の締付力ｆ１で前側第一当接面７６に当接し、後側第二クランプ領域８２は第二の締付力ｆ２で後側第二当接面７８に当接する。第一実施例と同様、弾力性回転軸Ｐが第二の力Ｆ２の作用線上に位置するようにクランプ・ジョーをデザインすることができる。そのように構成することで、第二クランプ領域８２は、第一クランプ領域８０が第一当接面７６上に及ぼす力ｆ１の大きさを変えることなく、弾力性回転軸Ｑの周りを自由に動くことができる。したがって、この構成では、第一及び第二の力ｆ１及びｆ２は、各々独立している。
【００４１】
クランプ・ジョーが、クランプ・ジョーの弾性変位によってベース・ジョーへ強制的に向けられる「セルフ・グリップ」タイプの構成において、本発明のクランプ機構を上記に説明した。さて、図９から図１２に、締付けネジによって作用するクランプ・ジョーを持つ本発明のクランプ機構を示す。
【００４２】
図９及び図１０に示す切削工具では、比較的に薄いクランプ部８０の後ろに比較的に厚い接続ブロック８２が続いている。比較的に薄いクランプ部と接続ブロックは一体構造であってもよい。どちらの場合も、これら二つの間の境界を垂直破線８４で示す。（図１における孔２４に同等な）孔８８の後部から概して後方へ、細長いスロット８６が接続ブロック８２内へと延びて形成されており、この細長いスロット８６を横切って、締付けネジ９０が接続ブロック内を下方へ延びる。締付けネジが締められていないときにクランプ・ジョーとベース・ジョーとの間隙は最大で、植刃を植刃ポケット内に配置することができる。締付けネジを締めると、クランプ・ジョーが植刃に力を加え、植刃が所定の位置にしっかりと固定される。
【００４３】
図９に、（図２に定義する）Ｈ１及びＨ２が等しくない、すなわち植刃の上側及び下側当接面が平行でない植刃を示す。図１０に、Ｈ１及びＨ２が等しい、すなわち植刃の上側及び下側当接面が平行な植刃を示す。図１１及び図１２にもう一つの実施例を示す。これは、クランプ・ジョーの後側第二クランプ面１００が、植刃９８の上側当接面９６の上面凹部９４の後部９２に当接するように構成されている。この特別な構成によって、植刃の偶発的な移動に対する安全性が向上する。
【００４４】
本発明を特定な実施例を用いて説明したが、以下に特許請求の範囲として示す本発明の主旨すなわち範囲から外れることなく、種々の変更及び改良を行うことが可能である。
【図面の簡単な説明】
【図１】本発明の第一実施例による植刃ポケットのクランプ機構と、その中に保持される植刃とを示す切削工具の部分的な側面図である。
【図２】図１の切削工具と、植刃ポケット内に保持された植刃とを示す部分側面図である。
【図３Ａ】図２の平面に直角な面において、切削工具の前方第一クランプ面あるいは後方第二クランプ面を通過する切削工具の部分横断面図であり、植刃の側方移動を防ぐための、凹形状のＶ形横断面を持つ機構を示す。
【図３Ｂ】図３Ａに同様な、凸形状のＶ形横断面を持つ植刃を示すものである。
【図４】本発明の第一の実施例による植刃と植刃ポケットのクランプ機構とを示す、植刃受容ポケット内に植刃を位置決めするための代替的な構成を持つ切削工具の部分側面図である。
【図５】本発明による植刃クランプ機構を持つ回転式立削り工具の側面図である。
【図６】本発明による植刃クランプ機構を持つホルダ・ブレードの側面図である。
【図７】本発明の第二実施例による植刃ポケットのクランプ機構と、その中に保持される植刃とを示す切削工具の部分側面図である。
【図８】植刃ポケット内に保持された植刃を示す図７の切削工具の部分側面図である。
【図９】図４に示すタイプの植刃を植刃ポケットで保持した切削工具の部分側面図である。この場合、クランプ・ジョーは締付けねじによって作用する。
【図１０】植刃ポケット内に、平行な上下当接面を持つ植刃を取り付けた切削工具の部分側面図である。この場合、クランプ・ジョーは締付けねじによって作用する。
【図１１】クランプ・ジョーの低側面の後方第二クランプ面が、植刃の上面における上面凹部の後部領域に当接する切削工具の部分側面図である。
【図１２】図１１の切削工具から植刃を取り外した切削工具の部分側面図である。
【符号の説明】
１０  切削工具
１２  クランプ部
１４  本体部
１８  植刃
２０  クランプ・ジョー
２２  ベース・ジョー
【図１】
0003923694.tif 000002
【図２】
0003923694.tif 000003
【図３Ａ】
0003923694.tif 000004
【図３Ｂ】
0003923694.tif 000005
【図４】
0003923694.tif 000006
【図５】
0003923694.tif 000007
【図６】
0003923694.tif 000008
【図７】
0003923694.tif 000009
【図８】
0003923694.tif 000010
【図９】
0003923694.tif 000011
【図１０】
0003923694.tif 000012
【図１１】
0003923694.tif 000013
【図１２】
0003923694.tif 000014